(57)【特許請求の範囲】
【請求項１】
鉄道車両の車輪または車軸に固定されたブレーキディスクの摺動面に、ブレーキキャリパによって押し付けられるブレーキライニングであって、
各々の表面がブレーキディスクの摺動面と対向し、各々が互いに隙間を隔てて配列された複数個の摩擦部材と、
各摩擦部材の裏面に固着された裏金と、
各摩擦部材をその中心部において締結部材により裏面側からばね部材を介して支持し、ブレーキキャリパに取り付けられる基板と、からなり、
互いに隣接する２個の摩擦部材を一組とし、この一組の摩擦部材の裏金が一体であることを特徴とする鉄道車両用ブレーキライニング。
【請求項２】
前記裏金は、当該裏金に固着された摩擦部材同士の隙間に相当する部分がくびれていることを特徴とする請求項１に記載の鉄道車両用ブレーキライニング。
【請求項３】
前記裏金のくびれ部の最小幅が、当該裏金に固着された摩擦部材の最大幅の１／３〜２／３であることを特徴とする請求項２に記載の鉄道車両用ブレーキライニング。
【請求項４】
前記裏金は、当該裏金に固着された摩擦部材同士の隙間に相当する部分の最小長さが２〜７ｍｍであることを特徴とする請求項１〜３のいずれかに記載の鉄道車両用ブレーキライニング。
【請求項５】
前記締結部材がリベットであり、前記各摩擦部材は、前記裏金とともに、前記各摩擦部材の中心部に形成された小孔を挿通する前記リベットによって前記基板に取り付けられることを特徴とする請求項１〜４のいずれかに記載の鉄道車両用ブレーキライニング。
【請求項６】
鉄道車両の車輪または車軸に固定されたブレーキディスクと、
請求項１〜５のいずれかに記載のブレーキライニングが取り付けられたブレーキキャリパと、を備えたことを特徴とする鉄道車両用ディスクブレーキ。
【発明の詳細な説明】
【技術分野】
【０００１】
本発明は、鉄道車両の制動装置として用いられるディスクブレーキに関し、特に、車輪または車軸に固定されたブレーキディスクの摺動面に押し付けられる鉄道車両用ブレーキライニング、およびそれを備えた鉄道車両用ディスクブレーキに関する。
【背景技術】
【０００２】
近年、鉄道車両や自動車や自動二輪車などの陸上輸送車両の制動装置としては、車両の高速化や大型化に伴い、ディスクブレーキが多用されている。ディスクブレーキは、ブレーキディスクとブレーキライニングとの摺動による摩擦により制動力を得る装置である。
【０００３】
鉄道車両用のディスクブレーキの場合、ドーナツ形円盤状のブレーキディスクを車輪または車軸に取り付けて固定し、このブレーキディスクの摺動面に、ブレーキキャリパによってブレーキライニングを押し付けることで制動力を発生させる。これにより、車輪または車軸の回転を制動し、車両の速度を制御する。
【０００４】
その際、車両の減速速度はディスクブレーキの制動力に依存し、その制動力はブレーキディスクとブレーキライニングとの間の摩擦係数に大きく依存する。実走行では、制動中の車両の減速速度を的確に制御できることが望まれ、このためには、制動開始時点の走行速度が異なっても、ブレーキディスクとブレーキライニングとの間の摩擦係数が一定に安定しているのがよい。
【０００５】
また、制動中、互いに接触するブレーキライニングとブレーキディスクの摺動面は、摩擦熱により温度が上昇する。この温度上昇は、ブレーキ負荷が大きくなる条件、具体的には、車両の走行速度が高速である条件や車両重量が大きい条件のときに著しくなる傾向にある。実走行では、ディスクブレーキの熱的な損傷を防止し、耐久性を向上させることが望まれ、このためには、制動中のブレーキライニングとブレーキディスクの接触をできるだけ均一化し、発生する摩擦熱を低減する必要がある。
【０００６】
図１は、従来の一般的な鉄道車両用ディスクブレーキを示す図であり、同図（ａ）はブレーキライニングの平面図を、同図（ｂ）は同図（ａ）のＡ−Ａ断面の拡大図をそれぞれ示す。同図（ａ）では、ブレーキライニングを表面側となるブレーキディスク側から見た状態を示している。
【０００７】
図１に示す従来の一般的なブレーキライニング（以下、「従来型ブレーキライニング」という）１０２は、複数枚の幅広い板状の摩擦部材１０３と、これらの各摩擦部材１０３の裏面に固着された裏金１０４と、各摩擦部材１０３を裏面側から裏金１０４とともに保持する基板１０６と、から構成される。各摩擦部材１０３は、裏金１０４ととともに、図示しないリベットによって基板１０６に強固に取り付けられている。このような構成の従来型ブレーキライニング１０２は、図示しないブレーキキャリパに基板１０６が取り付けられ、各摩擦部材１０３の表面がブレーキディスク１０１の摺動面１０１ａと対向した状態とされる。
【０００８】
ブレーキキャリパは、制動時に油圧や空圧などを駆動源として作動し、ブレーキライニング１０２をブレーキディスク１０１に押し付ける。このとき、ブレーキキャリパからブレーキライニング１０２に負荷される押付け力は、両者の取付け部の構造上、ブレーキライニング１０２の全域に均等に作用するわけではなく、ある特定の部分に集中して作用する。
【０００９】
このため、従来型ブレーキライニング１０２を用いたディスクブレーキの場合、摩擦部材１０３がある程度広い板状であり、基板１０６に強固に固定されていることから、制動中に、ブレーキディスク１０１とブレーキライニング１０２の接触面圧は局所的に高くなる。その結果、制動中の摩擦による温度上昇が局所的に過大となり、この温度上昇の過大な部分でブレーキライニング１０２（摩擦部材１０３）とブレーキディスク１０１の摩耗量が増大したり、ブレーキディスク１０１にき裂が発生する。この熱的な損傷のため、ディスクブレーキの耐久性が損なわれる。
【００１０】
このような問題に対し、近年、制動中のブレーキライニングとブレーキディスクの接触面圧を均一化することを目的として、構造を改良したブレーキライニングが種々提案されている。例えば、特許文献１〜３には、従来型ブレーキライニングの摩擦部材を小サイズに分割し、その分割した複数個の各摩擦部材を互いに隙間を隔てて配列したブレーキライニングが記載されている。
【００１１】
前記特許文献１に記載されるブレーキライニングでは、各摩擦部材の裏面にそれぞれ個別に裏金が固着されている。各摩擦部材は、裏金ととともに、裏面側から個々にばね部材を介しリベットによって基板に取り付けられ、個々に弾性的に支持されている。
【００１２】
前記特許文献２に記載されるブレーキライニングでは、互いに隣接する２個の摩擦部材を一組とし、この一組の摩擦部材の裏面にその両者にわたって一体の弾性片が固定されている。各弾性片は、当該弾性片に固定された摩擦部材同士の隙間に相当する部分が２本のリベットによって基板に強固に取り付けられ、これにより、各摩擦部材は、個々に当該摩擦部材同士の間の２箇所のリベット位置を支点にして弾性的に支持されている。
【００１３】
前記特許文献３に記載されるブレーキライニングでは、互いに隣接する２個の摩擦部材を一組とし、この一組の摩擦部材の裏面にその両者にわたって一体の金属薄層が固着されている。各金属薄層は、当該金属薄層に固着された摩擦部材同士の隙間に相当する部分が、弾性要素を介し２本のリベットによって基板に取り付けられ、これにより、各摩擦部材は、個々に当該摩擦部材同士の間の２箇所のリベット位置を支点にして弾性的に支持されている。
【００１４】
前記特許文献１〜３に記載されるブレーキライニングは、いずれも、摩擦部材が基板に弾性的に支持されていることから、制動中にブレーキディスクとの接触面圧の均一化が期待できる。
【００１５】
しかし、前記特許文献１に記載されるブレーキライニングでは、摩擦部材が個々に独立して可動する構造であるため、ブレーキディスクとブレーキライニングとの間の摩擦係数が、制動開始時点の走行速度によって変動する場合がある。このような摩擦係数の変動は、前記特許文献２、３に記載されるブレーキライニングでも発生する。各摩擦部材が一組の摩擦部材同士の間を支点とし、弾性片または金属薄層を介して弾性支持されているため、摩擦部材が個々に独立して可動する構造であることに変わりはないからである。
【００１６】
摩擦係数が制動開始時点の走行速度によって変動してしまうと、制動中の車両の減速速度を的確に制御することが困難になり、必要なブレーキ性能を確保することができない。特に、新幹線などの高速鉄道車両の場合、走行速度が低速から高速まで広範となるため、摩擦係数の変動が問題視される。
【００１７】
また、前記特許文献１に記載されるブレーキライニングの場合、各摩擦部材は、１本のリベットで基板に締結されているため、制動中にその場で回転してしまう。繰り返しの制動に伴って、そのような摩擦部材の回転が繰り返されると、摩擦部材と基板との締結部に緩みが生じ、最終的に摩擦部材が落失する。このため、十分な耐久性と信頼性を確保することができない。
【先行技術文献】
【特許文献】
【００１８】
【特許文献１】特開２００８−１５１１８８号公報
【特許文献２】国際公開ＷＯ２００２／０７３０５９号パンフレット
【特許文献３】特開２００６−１９４４２９号公報
【発明の概要】
【発明が解決しようとする課題】
【００１９】
本発明は、上記の問題に鑑みてなされたものであり、制動中のブレーキライニングとブレーキディスクの接触面圧の均一化と、それらの間の摩擦係数の安定化を両立させるとともに、耐久性と信頼性を向上させることができる鉄道車両用ブレーキライニングおよびディスクブレーキを提供することを目的とする。
【課題を解決するための手段】
【００２０】
本発明者らは、上記目的を達成するため、種々の試験および解析を実施し鋭意検討を重ねた結果、下記の（ａ）〜（ｃ）の知見を得た。
【００２１】
（ａ）上述の通り、制動中のブレーキライニングとブレーキディスクの接触面圧の均一化を図るには、複数個の小サイズの摩擦部材を個々に弾性的に支持し、各摩擦部材が個々に可動する構造にする必要がある。ただし、ブレーキディスクとブレーキライニングとの間の摩擦係数の安定化を図るには、個々の摩擦部材の動きをある程度拘束した構造にする必要がある。
【００２２】
（ｂ）上記（ａ）に示す接触面圧の均一化と摩擦係数の安定化は、互いに隣接する２個の摩擦部材を一組とし、この一組の摩擦部材の裏面にその両者にわたって一体の裏金を固着させ、各摩擦部材を裏面側から個々にばね部材を介しリベットによって基板に取り付ける構造とすることで、両立できる。各摩擦部材を個々にばね部材を介しリベットによって基板に取り付けることにより、各摩擦部材が個々に可動するようになるからである。また、一組の摩擦部材の裏面に一体の裏金を固着させることにより、一組の摩擦部材が裏金で連結され、その動きが必要最小限拘束されるようになるからである。
【００２３】
（ｃ）しかも、上記（ｂ）に示す構造にすると、各摩擦部材は基板に対し実質的に２本のリベットで締結されることになるので、制動中にその場で回転することはなく、摩擦部材と基板との締結部に緩みが生じるのを防止でき、仮に、１箇所の締結部が破損した場合であっても、摩擦部材が即座に落失することはない。
【００２４】
本発明は、上記（ａ）〜（ｃ）に示す知見に基づいて完成させたものであり、その要旨は、下記（Ｉ）に示す鉄道車両用ブレーキライニング、および下記（II）に示す鉄道車両用ディスクブレーキにある。
【００２５】
（Ｉ）鉄道車両の車輪または車軸に固定されたブレーキディスクの摺動面に、ブレーキキャリパによって押し付けられるブレーキライニングであって、
各々の表面がブレーキディスクの摺動面と対向し、各々が互いに隙間を隔てて配列された複数個の摩擦部材と、
各摩擦部材の裏面に固着された裏金と、
各摩擦部材をその中心部において締結部材により裏面側からばね部材を介して支持し、ブレーキキャリパに取り付けられる基板と、からなり、
互いに隣接する２個の摩擦部材を一組とし、この一組の摩擦部材の裏金が一体であることを特徴とする鉄道車両用ブレーキライニングである。
【００２６】
上記（Ｉ）のブレーキライニングにおいて、前記裏金は、当該裏金に固着された摩擦部材同士の隙間に相当する部分がくびれていることが好ましい。この場合、前記裏金のくびれ部の最小幅が、当該裏金に固着された摩擦部材の最大幅の１／３〜２／３であることが好ましい。
【００２７】
また、上記（Ｉ）のブレーキライニングにおいて、前記裏金は、当該裏金に固着された摩擦部材同士の隙間に相当する部分の最小長さが２〜７ｍｍであることが好ましい。また、上記（Ｉ）のブレーキライニングにおいて、前記締結部材がリベットであり、前記各摩擦部材は、前記裏金とともに、前記各摩擦部材の中心部に形成された小孔を挿通する前記リベットによって前記基板に取り付けられることが好ましい。
【００２８】
（II）鉄道車両の車輪または車軸に固定されたブレーキディスクと、
上記のいずれかのブレーキライニングが取り付けられたブレーキキャリパと、を備えたことを特徴とする鉄道車両用ディスクブレーキである。
【発明の効果】
【００２９】
本発明の鉄道車両用ブレーキライニングおよびディスクブレーキによれば、互いに隣接する２個の摩擦部材を一組とし、この一組の摩擦部材の裏面にその両者にわたって一体の裏金を固着させ、各摩擦部材を裏面側から個々にばね部材を介しリベットによって基板に取り付ける構造とすることにより、制動中のブレーキライニングとブレーキディスクの接触面圧の均一化と、それらの間の摩擦係数の安定化を両立させるとともに、耐久性と信頼性を向上させることができる。
【図面の簡単な説明】
【００３０】
【図１】従来の一般的な鉄道車両用ディスクブレーキを示す図であり、同図（ａ）はブレーキライニングの平面図を、同図（ｂ）は同図（ａ）のＡ−Ａ断面の拡大図をそれぞれ示す。
【図２】本発明の鉄道車両用ディスクブレーキの一例を示す図であり、同図（ａ）はブレーキライニングの平面図を、同図（ｂ）は一組の摩擦部材の拡大平面図を、同図（ｃ）は同図（ａ）のＢ−Ｂ断面の拡大図をそれぞれ示す。
【発明を実施するための形態】
【００３１】
以下に、本発明の鉄道車両用ブレーキライニングおよびディスクブレーキについて、その実施形態を詳述する。
【００３２】
図２は、本発明の鉄道車両用ディスクブレーキの一例を示す図であり、同図（ａ）はブレーキライニングの平面図を、同図（ｂ）は一組の摩擦部材の拡大平面図を、同図（ｃ）は同図（ａ）のＢ−Ｂ断面の拡大図をそれぞれ示す。同図（ａ）、（ｂ）では、それぞれブレーキライニング、一組の摩擦部材を、表面側となるブレーキディスク側から見た状態を示している。
【００３３】
本発明のディスクブレーキは、図２（ｃ）に示すように、ブレーキディスク１と、ブレーキライニング２と、このブレーキライニング２が取り付けられた図示しないブレーキキャリパと、を備える。ブレーキディスク１はドーナツ形円盤状であり、図示しない車輪または車軸にボルトなどによって取り付けられ、強固に固定されている。ブレーキキャリパは、制動時に作動し、ブレーキライニング２をブレーキディスク１の摺動面１ａに押し付ける。これにより、ブレーキディスク１とブレーキライニング２との間に摺動による摩擦が生じ、制動力が発生する。こうして、ディスクブレーキは、車輪または車軸の回転を制動し、車両の速度を制御する。
【００３４】
図２に示す本発明のブレーキライニング２は、複数個の摩擦部材３と、裏金４と、ばね部材５と、これらの全てを保持する基板６と、から構成される。摩擦部材３は、各々の表面がブレーキディスク１の摺動面１ａと対向し、各々が互いに隙間を隔てて配列される。例えば、図２（ａ）に示すように、摩擦部材３は、ブレーキディスク１の径方向に２個、ブレーキディスク１の周方向に７個の合計１４個を配列した態様を採用することができる。この摩擦部材３の配列や個数は特に限定はない。
【００３５】
摩擦部材３は、銅焼結材や樹脂系材料などからなり、前記図１に示す従来型ブレーキライニング１０２における幅広い板状の摩擦部材１０３を小サイズに分割したような小塊状である。摩擦部材３は、図２（ａ）、（ｂ）に示すように、平面形状が円形であり、その中心部に小孔３ａを有する。この小孔３ａには、摩擦部材３を基板６に取り付ける際にリベット７が挿入される。摩擦部材３の平面形状は、円形に限らず、四角形や六角形などの多角形でも構わない。
【００３６】
各摩擦部材３の裏面には、その強度や剛性を維持するため、鋼などの薄い金属板からなる裏金４が固着されている。裏金４は、互いに隣接する２個の摩擦部材３を一組とし、この一組の摩擦部材３の両者にわたって一体のものである。これにより、一組の摩擦部材３は、裏金４で連結された状態になっている。裏金４で連結する一組の摩擦部材３は、隣接する方向に限定はなく、ブレーキディスク１の径方向に隣接するものであっても、周方向に隣接するものであっても、それら以外の方向に隣接するものであってもよい。
【００３７】
各摩擦部材３は、裏金４とともに、個々の中心部の小孔３ａを挿通するリベット７によって基板６に取り付けられている。ここで、各摩擦部材３は、個々の裏面側の裏金４と基板６の間にそれぞればね部材５が配設されており、これにより、個々に弾性的に支持された状態になっている。なお、ばね部材５としては、図２では皿ばねを例示しているが、板ばねやコイルばねを採用してもよい。
【００３８】
このような構成のブレーキライニング２を備えたディスクブレーキによれば、各摩擦部材３が個々にばね部材５を介しリベット７によって基板６に取り付けられ、これにより、個々に弾性支持された状態になっているので、個々に可動するようになる。このため、制動中のブレーキライニング２とブレーキディスク１の接触面圧を均一化することができる。
【００３９】
また、一組の摩擦部材３の裏面にその両者にわたって一体の裏金４が固着され、これにより、一組の摩擦部材３が裏金４で連結された状態となっているので、裏金で連結されていない場合と比較して、その動きが必要最小限拘束されるようになる。このため、制動開始時点の走行速度によらず、ブレーキディスク１とブレーキライニング２との間の摩擦係数を安定化することができる。
【００４０】
しかも、各摩擦部材３は、実質的に２本のリベット７で基板６に締結されることになるので、制動中にその場で回転することはなく、基板６との締結部に緩みが生じるのを防止できる。仮に、それらの締結部に緩みが生じた場合であっても、２箇所の締結部が同時に破損しない限り、摩擦部材３が即座に落失することはない。したがって、ディスクブレーキの十分な耐久性と信頼性を確保することができる。
【００４１】
もっとも、各摩擦部材３は、その中心部直下のリベット７の位置を支点にして弾性支持されているので、制動中にブレーキディスク１と接触し可動しても大きく傾くことはなく、その接触面が全域にわたって均一に摩耗し、偏摩耗が発生することはない。
【００４２】
このような本発明のブレーキライニング２において、図２（ａ）、（ｂ）に示すように、裏金４は、これに固着された一組の摩擦部材３同士の隙間に相当する部分４ａ、すなわち摩擦部材３同士の連結部分４ａがくびれていることが好ましい。軽量化を実現できる点で有利だからである。この場合、裏金４は、連結部分４ａ（くびれ部）の最小幅ｗが、これに固着された摩擦部材３の最大幅Ｄの１／３〜２／３であり、板厚ｔ（図２（ｃ）参照）が１．５〜４ｍｍであることが好ましい。上記した接触面積の均一化と摩擦係数の安定化を有効に実現できるからである。なお、ここでいう摩擦部材３の最大幅Ｄとは、連結部分４ａの最小幅ｗと平行な方向での摩擦部材３の最大の幅を意味する。
【００４３】
また、本発明のブレーキライニング２において、図２（ａ）、（ｂ）に示すように、裏金４は、連結部分４ａの最小長さｌ、すなわち摩擦部材３同士の最小隙間ｌが２〜７ｍｍであることが好ましく、より好ましくは３〜５ｍｍとするのがよい。連結部分４ａの最小長さｌが短過ぎると、摩擦部材３の動きが拘束され過ぎて、上記した接触面積の均一化が困難となるからである。反対にそれが長過ぎると、摩擦部材３の動きが十分に拘束されず、上記した摩擦係数の安定化が困難となるからである。
【００４４】
なお、摩擦部材３を弾性支持して可動させるためのばね部材５のばね定数は、実用的には、４〜１０ｋＮ／ｍｍ程度であるのが好ましい。
【実施例】
【００４５】
本発明の効果を確認するため、下記のＦＥＭ解析（有限要素法解析）およびブレーキ試験を実施した。
【００４６】
［解析および試験の概要］
制動中のブレーキライニングとブレーキディスクの接触面圧の均一化を評価するため、ＦＥＭ解析を行った。解析では、ブレーキライニングとブレーキディスクを弾性体でモデル化し、ブレーキライニングの背面からブレーキキャリパによる押付け力相当の荷重を与えた。このときに個々の摩擦部材に作用する荷重を評価した。
【００４７】
主に制動中のブレーキディスクとブレーキライニングとの間の摩擦係数の安定化を評価するため、ブレーキ試験を行った。試験では、ブレーキディスクを取り付けた車輪をその場で回転させ、ブレーキキャリパに取り付けたブレーキライニングをそのブレーキディスクに押し付けて制動させた。このときにブレーキライニングに作用する押付け荷重と、測定されたブレーキトルクから摩擦係数を求めた。
【００４８】
ＦＥＭ解析およびブレーキ試験のいずれでも、新幹線に使用されているディスクブレーキを対象とした。
【００４９】
［実施条件］
ＦＥＭ解析およびブレーキ試験の主要な実施条件を下記の表１にまとめて示す。
【００５０】
【表１】
0005706237.tif 000002
【００５１】
ＦＥＭ解析では、前記図２に示すディスクブレーキを採用し、本発明例１〜３の３条件について解析を実施した。いずれでも、裏金の板厚は２．３ｍｍとし、一組の摩擦部材を連結する裏金の連結部分の最小幅は２１ｍｍとした。一組の摩擦部材を連結する裏金の連結部分の最小長さは、本発明例１で２ｍｍ、本発明例２で３ｍｍ、および本発明例３で５ｍｍと変更した。
【００５２】
また、本発明例１〜３に共通して、基板の長手方向長さ（ブレーキディスクの周方向に相当する長さ）は４００ｍｍ、幅方向長さ（ブレーキディスクの径方向に相当する長さ）は１３０ｍｍとした。ブレーキライニングを構成する各部材の材料について、摩擦部材は銅焼結材とし、それ以外はすべて鉄鋼材料とした。摩擦部材は１４個とし、その平面形状は直径４５ｍｍの円形とした。摩擦部材と基板の間に配する皿ばねのばね定数は７ｋＮ／ｍｍとした。ブレーキディスクは、内径４７６ｍｍ、外径７２４ｍｍの略円盤状とし、ブレーキライニングと接触する摺動面の半径方向長さを１２０ｍｍとした。
【００５３】
そして、ＦＥＭ解析は、押付け力を１４ｋＮ、ブレーキディスクとブレーキライニングの接触面の摩擦係数を０．３として行った。
【００５４】
さらに、ＦＥＭ解析では、比較のために、比較例１、２の２条件について解析を実施した。比較例１では、上記本発明例１の諸条件のうちで、一組の摩擦部材を裏金で連結することなく、各摩擦部材の裏面に個別に裏金を固着したディスクブレーキ（前記特許文献１に記載されるもの）を採用し、比較例２では、前記図１に示す従来型ディスクブレーキを採用した。
【００５５】
一方、ブレーキ試験では、上記の本発明例１および比較例１の２条件について試験を実施した。各試験は、初速度として３０〜３３０ｋｍ／ｈの間から異なる８種類の速度を選定し、各初速度からの非常停止ブレーキとした。
【００５６】
［評価方法］
本発明の目的は、上記した接触面積の均一化と摩擦係数の安定化を両立し、さらにディスクブレーキの耐久性を確保することにある。ブレーキ試験では、摩擦係数の安定化と耐久性を評価するため、それぞれに対応する指標として、摩擦係数のばらつきを調査するとともに、個々の摩擦部材がその場で回転するか否かを調査した。ここでは、各初速度からのブレーキ試験で得られた平均摩擦係数の中で、最大値と最小値を抽出し、その差を摩擦係数のばらつきとした。
【００５７】
一方、ＦＥＭ解析では、接触面積の均一化を評価するため、それに対応する指標として、個々の摩擦部材に作用する荷重のばらつきを調査した。ここでは、押付け力を与えたときに各摩擦部材に作用する荷重の中で、最大値と最小値を抽出し、その差を荷重のばらつきとした。
【００５８】
［結果］
ＦＥＭ解析およびブレーキ試験の結果を下記の表２にまとめて示す。
【００５９】
【表２】
0005706237.tif 000003
【００６０】
同表に示す結果から、本発明例１では、一組の摩擦部材を裏金で連結しているため、摩擦係数のばらつきが小さく、摩擦部材の回転も生じていないことがわかる。また、皿ばねによる摩擦部材の弾性支持の効果により、本発明例１〜３では、荷重のばらつきが小さくなることがわかる。これらのことから、本発明のブレーキライニングを備えたディスクブレーキは、接触面積の均一化と摩擦係数の安定化を両立し、さらに耐久性を確保できることが明らかとなる。
【００６１】
一方、比較例１では、一組の摩擦部材を裏金で連結していないため、摩擦係数のばらつきが比較的大きく、複数の摩擦部材で回転が生じていることがわかる。また、比較例２では、従来型ブレーキライニングのため、荷重のばらつきが大きいことがわかる。
【産業上の利用可能性】
【００６２】
本発明の鉄道車両用ブレーキライニングおよびディスクブレーキは、あらゆる鉄道車両に有効に利用することができ、中でも、走行速度が低速から高速まで広範となる高速鉄道車両に有用である。
【符号の説明】
【００６３】
１：ブレーキディスク、    １ａ：摺動面、    ２：ブレーキライニング、
３：摩擦部材、    ３ａ：小孔、    ４：裏金、    ４ａ：連結部分、
５：ばね部材、    ６：基板、    ７：リベット
【図１】
0005706237.tif 000004
【図２】
0005706237.tif 000005